(57)【要約】【課題】画像の閲覧を簡便に行う。【解決手段】被写体を撮像して画像データを生成する撮像部１を備える撮像装置１００であって、複数の画像データを被写体の撮像位置に係る撮像位置データと対応付けて記録する記録媒体５と、現在位置を測位して現在位置データを生成する処理と、現在位置データを複数の撮像位置データと比較して、複数の画像データの中で現在位置から所定距離以内で撮像された近傍画像データを検索する処理とを行うＣＰＵ８１と、検索された近傍画像データに係る画像を表示する画像表示部３２とを備えている。【選択図】図１
2008305251.tif 000002
【特許請求の範囲】
【請求項１】
複数の画像情報を各画像が撮像された位置に係る撮像位置情報と対応付けて記録する記録手段と、
現在位置を測位して現在位置情報を生成する現在位置測位手段と、
前記現在位置測位手段により生成された前記現在位置情報を前記複数の撮像位置情報と比較して、前記記録手段に記録された前記複数の画像情報の中で現在位置から所定距離以内で撮像された近傍画像情報を検索する検索手段と、
前記検索手段により検索された前記近傍画像情報に係る画像を表示する表示手段と、
を備えることを特徴とする画像管理装置。
【請求項２】
前記撮像位置情報は、画像の撮像位置が存する所定の地域に係る撮像地域情報を含み、
前記現在位置測位手段により生成された前記現在位置情報に基づいて、現在位置が存する地域を特定して現在地域情報を生成する現在地域情報生成手段と、
前記近傍画像情報の前記検索手段による検索地域を指定する検索地域指定手段と、を備え、
前記検索手段は、
さらに、前記現在地域情報生成手段により生成された前記現在地域情報を、前記複数の撮像位置情報に含まれる前記撮像地域情報のうちの前記検索地域指定手段により指定された前記検索地域内の情報と比較して、前記近傍画像情報を検索する地域検索手段を備えることを特徴とする請求項１に記載の画像管理装置。
【請求項３】
被写体を撮像して画像情報を生成する撮像手段と、
前記撮像手段による被写体の撮像位置を測位して撮像位置情報を生成する撮像位置測位手段と、
前記撮像手段により生成された複数の画像情報を前記撮像位置測定手段により生成された前記撮像位置情報と対応付けて記録する記録手段と、
現在位置を測位して現在位置情報を生成する現在位置測位手段と
前記現在位置測位手段により生成された前記現在位置情報を前記複数の撮像位置情報と比較して、前記記録手段に記録された前記複数の画像情報の中で現在位置から所定距離以内で撮像された近傍画像情報を検索する検索手段と、
前記検索手段により検索された前記近傍画像情報に係る画像を表示する表示手段と、
を備えることを特徴とする撮像装置。
【請求項４】
複数の画像情報を各画像が撮像された位置に係る撮像位置情報と対応付けて記録する記録手段を備える画像管理装置に、
現在位置を測位して現在位置情報を生成する機能と、
生成された前記現在位置情報を前記複数の撮像位置情報と比較して、前記記録手段に記録された前記複数の画像情報の中で現在位置から所定距離以内で撮像された近傍画像情報を検索する機能と、
検索された前記近傍画像情報に係る画像を表示手段に表示させる機能と、
を実現させることを特徴とするプログラム。
【発明の詳細な説明】
【技術分野】
【０００１】
本発明は、画像を管理する画像管理装置、撮像装置及びプログラムに関する。
【背景技術】
【０００２】
従来、ＧＰＳ（Global Positioning System：全地球測位システム）を利用して測位した現在位置の位置情報や時間情報等の属性情報を画像データに付加して記憶し、当該位置情報や時間情報を利用して、アルバムの作成、画像の検索を行う技術が提案されている（例えば、特許文献１参照）。
【特許文献１】特開２００１−２８２８１３号公報
【発明の開示】
【発明が解決しようとする課題】
【０００３】
しかしながら、上記特許文献１等の場合、位置情報は画像のデータベース化に利用されているものの、画像の閲覧の際には、ユーザが地名を入力したり、地図上で所定位置を指定して検索しなければならないため、画像の閲覧作業が煩雑となっている。
【０００４】
そこで、本発明の課題は、画像の閲覧を簡便に行うことができる画像管理装置、撮像装置及びプログラムを提供することである。
【課題を解決するための手段】
【０００５】
請求項１に記載の発明の画像管理装置は、
複数の画像情報を各画像が撮像された位置に係る撮像位置情報と対応付けて記録する記録手段と、
現在位置を測位して現在位置情報を生成する現在位置測位手段と、
前記現在位置測位手段により生成された前記現在位置情報を前記複数の撮像位置情報と比較して、前記記録手段に記録された前記複数の画像情報の中で現在位置から所定距離以内で撮像された近傍画像情報を検索する検索手段と、
前記検索手段により検索された前記近傍画像情報に係る画像を表示する表示手段と、
を備えることを特徴としている。
【０００６】
請求項２に記載の発明は、請求項１に記載の画像管理装置において、
前記撮像位置情報は、画像の撮像位置が存する所定の地域に係る撮像地域情報を含み、
前記現在位置測位手段により生成された前記現在位置情報に基づいて、現在位置が存する地域を特定して現在地域情報を生成する現在地域情報生成手段と、
前記近傍画像情報の前記検索手段による検索地域を指定する検索地域指定手段と、を備え、
前記検索手段は、
さらに、前記現在地域情報生成手段により生成された前記現在地域情報を、前記複数の撮像位置情報に含まれる前記撮像地域情報のうちの前記検索地域指定手段により指定された前記検索地域内の情報と比較して、前記近傍画像情報を検索する地域検索手段を備えることを特徴としている。
【０００７】
請求項３に記載の発明の撮像装置は、
被写体を撮像して画像情報を生成する撮像手段と、
前記撮像手段による被写体の撮像位置を測位して撮像位置情報を生成する撮像位置測位手段と、
前記撮像手段により生成された複数の画像情報を前記撮像位置測定手段により生成された前記撮像位置情報と対応付けて記録する記録手段と、
現在位置を測位して現在位置情報を生成する現在位置測位手段と
前記現在位置測位手段により生成された前記現在位置情報を前記複数の撮像位置情報と比較して、前記記録手段に記録された前記複数の画像情報の中で現在位置から所定距離以内で撮像された近傍画像情報を検索する検索手段と、
前記検索手段により検索された前記近傍画像情報に係る画像を表示する表示手段と、
を備えることを特徴としている。
【０００８】
請求項４に記載の発明のプログラムは、
複数の画像情報を各画像が撮像された位置に係る撮像位置情報と対応付けて記録する記録手段を備える画像管理装置に、
現在位置を測位して現在位置情報を生成する機能と、
生成された前記現在位置情報を前記複数の撮像位置情報と比較して、前記記録手段に記録された前記複数の画像情報の中で現在位置から所定距離以内で撮像された近傍画像情報を検索する機能と、
検索された前記近傍画像情報に係る画像を表示手段に表示させる機能と、
を実現させることを特徴としている。
【発明の効果】
【０００９】
本発明によれば、ユーザが現在位置の地名を入力したり地図上で指定することなく、現在位置の近傍の画像を簡便に閲覧することができる。
【発明を実施するための最良の形態】
【００１０】
以下に、本発明について、図面を用いて具体的な態様を説明する。ただし、発明の範囲は、図示例に限定されない。
図１は、本発明を適用した一実施形態の撮像装置１００の概略構成を示すブロック図である。
本実施形態の撮像装置１００は、ユーザの存する現在位置を測位して、記録媒体５に記録された複数の画像データｇ、…の中で現在位置から所定距離以内で撮像された近傍画像データｇを検索して、当該近傍画像データｇに係る撮像画像を表示部３に表示する。
具体的には、撮像装置１００は、図１に示すように、撮像部１と、撮像補助部２と、表示部３、操作部４と、記録媒体５と、ＵＳＢ端子６と、ＧＰＳアンテナ７と、制御部８と、放音部９等を備えて構成されている。
【００１１】
撮像部１は、撮像手段として、被写体を連続して撮像して複数の画像フレームを生成する。具体的には、撮像部１は、撮像レンズ群１１と、電子撮像部１２と、映像信号処理部１３と、画像メモリ１４と、撮影制御部１５等を備えている。
【００１２】
撮像レンズ群１１は、複数の撮像レンズから構成されている。
電子撮像部１２は、撮像レンズ群１１を通過した被写体像を二次元の画像信号に変換するＣＣＤ（Charge Coupled Device）やＣＭＯＳ（Complementary Metal-oxide Semiconductor）等の撮像素子から構成されている。
映像信号処理部１３は、電子撮像部１２から出力される画像信号に対して所定の画像処理を施すものである。
画像メモリ１４は、画像処理後の画像信号を一時的に記憶する。
【００１３】
上記構成の撮像部１は、被写体を撮像して撮像画像データｄ（画像信号）を取得する撮像手段を構成している。
【００１４】
撮像補助部２は、撮像部１による被写体の撮像の際に駆動するものであり、フォーカス駆動部２１と、ズーム駆動部２２等を備えている。
【００１５】
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００１６】
表示部３は、撮像部１により撮像された画像を表示するものであり、表示制御部３１と、画像表示部３２等を備えている。
【００１７】
表示制御部３１は、ＣＰＵ８１から適宜出力される表示データを一時的に保存するビデオメモリ（図示略）を備えている。
【００１８】
画像表示部３２は、表示手段として、表示制御部３１からの出力信号に基づいて表示画面に所定の画像や情報を表示する。具体的には、画像表示部３２は、表示手段として、画像検索処理（後述）にて検索された現在位置から所定距離（例えば、５〜１０ｋｍ程度）以内で撮像された画像データ（近傍画像データ）に係る撮像画像を表示する。
【００１９】
操作部４は、当該撮像装置１００の所定操作を行うためのものであり、操作入力部４１と、入力回路４２等を備えている。
【００２０】
操作入力部４１は、シャッターボタン４１ａやモード設定ボタン４１ｂ等を備えている。
シャッターボタン４１ａは、撮像部１による被写体の撮像を指示する。
モード設定ボタン４１ｂは、静止画撮像モード、動画撮像モード、再生モード、記録画像表示モード（後述）等の各種モードの変更設定を指示する。
【００２１】
入力回路４２は、操作入力部４１から出力され入力された操作信号をＣＰＵ８１に入力するためのものである。
【００２２】
記録媒体５は、例えば、カード型の不揮発性メモリ（フラッシュメモリ）やハードディスク等により構成され、撮像部１により撮像された画像の画像データｇを複数記憶する。
具体的には、記録媒体５は、各画像データｇを測位処理にて測位された被写体の撮像位置（例えば、絶対的な２次元の現在位置（緯度、経度））に係る撮像位置データｄ１と対応付けて記憶している（図２参照）。
例えば、図２に示すように、画像データ１は、撮像位置データ「ＣＩＭＧ０００１．ＪＰＧ  ＧＰＳ  Ｅ：１３５°  １１’２２．３３”  Ｎ：３４°  ３２’００．１１”」と対応付けられ、画像データ２は、撮像位置データ「ＣＩＭＧ０００２．ＪＰＧ  ＧＰＳ  Ｅ：１３６°  ００’０１．０２”  Ｎ：３４°  ３３’００．０１”」と対応付けられ、画像データ３は、撮像位置データ「ＣＩＭＧ０００３．ＪＰＧ  ＧＰＳ  Ｅ：１３７°  ００’００．００”  Ｎ：３４°  ３２’０２．０３”」と対応付けられ、画像データ４は、撮像位置データ「ＣＩＭＧ０００４．ＪＰＧ  ＧＰＳ  Ｅ：１３４°  ０３’０２．０１”  Ｎ：３４°  ３４’１５．０８”」と対応付けられている。
【００２３】
ＵＳＢ端子６は、外部機器との接続用の端子であり、ＵＳＢケーブル（図示略）等を介してデータの送受信を行う。
【００２４】
ＧＰＳアンテナ７は、地球低軌道に打ち上げられた複数のＧＰＳ衛星から送信されるＧＰＳ信号（例えば、アルマナック（概略軌道情報）やエフェメリス（詳細軌道情報）など）を受信して、当該受信したＧＰＳ信号をＣＰＵ８１に出力する。
【００２５】
放音部９は、例えば、スピーカ（図示略）を備えて構成され、ＣＰＵ８１から入力される制御信号に従ってスピーカから放音する。例えば、放音部９は、画像検索処理（後述）にて検索された近傍画像データｇに係る撮像画像を画像表示部３２に表示する際に、所定の報知音を放音する。
【００２６】
制御部８は、撮像装置１００の各部を制御するものであり、ＣＰＵ８１と、プログラムメモリ８２と、データメモリ８３等を備えている。
【００２７】
ＣＰＵ８１は、プログラムメモリ８２に記憶された撮像装置１００用の各種処理プログラムに従って各種の制御動作を行うものである。
【００２８】
データメモリ８３は、例えば、フラッシュメモリ等により構成され、ＣＰＵ８１によって処理されるデータ等を一時記憶する。
【００２９】
プログラムメモリ８２は、ＣＰＵ８１の動作に必要な各種プログラムやデータを記憶するものである。具体的には、プログラムメモリ８２は、測位プログラム８２ａ、検索プログラム８２ｂ、表示制御プログラム８２ｃ等を記憶している。
【００３０】
測位プログラム８２ａは、ＧＰＳアンテナ７により受信され出力されたＧＰＳ信号に基づいて、当該撮像装置１００の絶対的な２次元の現在位置（緯度、経度）を測位する測位処理に係る機能をＣＰＵ８１に実現させるためのプログラムである。
即ち、電源投入時や、その後に所定時間間隔で、ＣＰＵ８１が測位プログラム８２ａを実行することで、現在位置を測位して現在位置データを生成する。ここで、ＣＰＵ８１は、現在位置測位手段として機能する。
また、撮像部１による被写体の撮像の際に、ＣＰＵ８１が測位プログラム８２ａを実行することで、当該撮像装置１００の現在位置、つまり、被写体の撮像位置を測位して撮像位置データｄ１を生成する。ここで、ＣＰＵ８１は、撮像位置測位手段として機能する。
【００３１】
検索プログラム８２ｂは、ＣＰＵ８１を検索手段として機能させるものである。即ち、検索プログラム８２ｂは、測位処理にて生成された現在位置データを記録媒体５に記録されている複数の撮像位置データｄ１、…と比較して、複数の画像データｇ、…の中で現在位置から所定距離以内で撮像された近傍画像データｇを検索する画像検索処理に係る機能をＣＰＵ８１に実現させるためのプログラムである。
なお、画像検索処理にあっては、近傍画像データｇを一つ特定しても良いし、２つ以上特定しても良い。
【００３２】
表示制御プログラム８２ｃは、画像検索処理にて検索された近傍画像データｇを記録媒体５から読み出して、当該近傍画像データｇに係る撮像画像を画像表示部３２に表示させる処理に係る機能をＣＰＵ８１に実現させるためのプログラムである。
なお、２つ以上の近傍画像データｇに基づいて複数の画像を表示する場合には、操作入力部４１の所定操作に基づいて複数の画像を切り替えて表示したり、サムネイル画像を一覧表示したり、スライドショーにより表示するようにしても良い。
【００３３】
次に、記録画像表示処理について図３を参照して説明する。
図３は、記録画像表示処理に係る動作の一例を示すフローチャートである。
なお、以下に説明する記録画像表示処理にあっては、複数の画像データｇ、…の各々が撮像位置データｄ１と対応付けられて記録媒体５に予め記録されているものとする。
【００３４】
図３に示すように、撮像装置１００の電源投入後、例えば、ユーザによるモード設定ボタン４１ｂの所定操作に基づいて記録画像表示モードに設定されると（ステップＳ１）、ＣＰＵ８１は、プログラムメモリ８２内の測位プログラム８２ａを実行することで、現在位置を測位して現在位置データを生成する（ステップＳ２）。
続けて、ＣＰＵ８１は、プログラムメモリ８２内の検索プログラム８２ｂを実行することで、現在位置データを記録媒体５に記録されている複数の撮像位置データｄ１、…と比較して、複数の画像データｇ、…の中で現在位置から所定距離以内で撮像された近傍画像データｇを検索する画像検索処理を実行する（ステップＳ３）。そして、近傍画像データｇが特定されると（ステップＳ４；ＹＥＳ）、ＣＰＵ８１は、プログラムメモリ８２内の表示制御プログラム８２ｃを実行することで、画像検索処理にて検索された近傍画像データｇに係る撮像画像を画像表示部３２に表示させる（ステップＳ５）。この際、放音部９は、所定の報知音を放音する。
なお、ステップＳ４にて、近傍画像データｇが特定されない場合（ステップＳ４；ＮＯ）、即ち、記録媒体５に近傍画像データｇが記録されていない場合、ステップＳ２に戻る。
【００３５】
その後、所定時間経過する毎に上記のステップＳ２〜ステップＳ５の各処理を実行する。
【００３６】
以上のように、本実施形態の撮像装置１００によれば、現在位置を測位して生成された現在位置データを、記録媒体５に複数の画像データｇ、…と対応付けて記録されている複数の撮像位置データｄ１、…と比較して、複数の画像データｇ、…の中で現在位置から所定距離以内で撮像された近傍画像データｇを検索し、当該近傍画像データｇに係る画像を画像表示部３２に表示することができる。従って、ユーザが現在位置の地名を入力したり地図上で指定することなく、自動的に現在位置の近傍で撮像された画像が表示されるので、当該画像の閲覧を簡便に行うことができる。
即ち、例えば、以前に観光名所や有名飲食店等に友人や知人等と出掛けて記念に写真を撮っていた場合には、当該観光名所や有名飲食店等の近傍に訪れると、報知音とともに自動的にその写真画像が画像表示部３２に表示されることで、そこが以前に訪れた場所であることを知ることができる。また、観光名所の増改築等により建物や施設の形状等が変わっていた場合等には、増改築前の画像が表示されることで新旧の建物や施設を見比べることもできる。このように、撮りためておいた画像が自動的に表示されることで、ユーザが忘れていた画像の閲覧の機会を得るだけでなく、撮影した当時の記憶や思い出を蘇らせることができ、当該撮像装置１００の商品価値をより向上させることができることとなって、より魅力的な撮像装置１００を提供することができる。
【００３７】
なお、本発明は、上記実施形態に限定されることなく、本発明の趣旨を逸脱しない範囲において、種々の改良並びに設計の変更を行っても良い。
以下に、変形例１の撮像装置２００について図４〜図６を参照して説明する。
【００３８】
変形例１の撮像装置２００は、近傍画像データｇを検索する地域（例えば、行政区画単位の地域等）を指定して、当該地域内で撮像された近傍画像データｇを検索して表示する。
【００３９】
図４に示すように、操作入力部４１は、検索地域指定手段として、近傍画像データｇの画像検索処理にて検索される地域を予め指定する地域指定ボタン４１ｃを備えている。
【００４０】
プログラムメモリ８２は、測位プログラム８２ａ及び表示制御プログラム８２ｃに加えて、地域情報生成プログラム８２ｄ、地域検索プログラム８２ｅ並びに地図情報データベース８２ｆを記録している。
【００４１】
地図情報データベース８２ｆは、例えば、都道府県や市町村等の行政区画、番地等の住所情報や、建物、施設、店舗、公園、鉄道に関する情報、地形情報、道路情報等が位置情報（緯度・経度）と対応付けられた地上情報を記憶している。
【００４２】
地域情報生成プログラム８２ｄは、ＣＰＵ８１を現在地域情報生成手段として機能させるものである。即ち、地域情報生成プログラム８２ｄは、測位処理にて生成された現在位置データに基づいて、地図情報データベース８２ｆを参照して現在位置が存する地域を特定して現在地域データを生成する地域情報生成処理に係る機能をＣＰＵ８１に実現させるためのプログラムである。
具体的には、図５に示すように、電源投入時等における測位処理にて「緯度３５度３９分３１．０７５秒  経度１３９度４４分４３．４８秒」の現在位置データを生成した場合には、ＣＰＵ８１が地域情報生成プログラム８２ｄを実行することで、測位処理にて生成された現在位置データに基づいて地図情報データベース８２ｆを参照して現在位置が存する地域として「東京都港区」を特定する処理を実行する。
【００４３】
また、撮像部１による被写体の撮像の際に、ＣＰＵ８１が地域情報生成プログラム８２ｄを実行することで、測定処理にて生成された被写体の撮像位置に係る撮像位置データｄ１に基づいて、当該画像の撮像位置が存する所定の地域に係る撮像地域データｄ２を生成する。
当該撮像地域データｄ２は画像データｇと対応付けられて記録媒体５に記録されている。即ち、記録媒体５は、例えば、撮像地域データ「ＣＩＭＧ０００１．ＪＰＧ  埼玉県所沢市」と対応付けられた画像データ１と、撮像地域データ「ＣＩＭＧ０００２．ＪＰＧ  神奈川県横浜市」と対応付けられた画像データ２と、撮像地域データ「ＣＩＭＧ０００３．ＪＰＧ  東京都港区」と対応付けられた画像データ３と、撮像地域データ「ＣＩＭＧ０００４．ＪＰＧ  京都府京都市」と対応付けられた画像データ４等を記録している。
【００４４】
地域検索プログラム８２ｅは、ＣＰＵ８１を地域検索手段として機能させるものである。即ち、ＣＰＵ８１が地域検索プログラム８２ｅを実行することで、地域情報生成処理にて生成された現在地域データを、記録媒体５に複数の画像データｇ、…と対応付けて記録されている複数の撮像地域データｄ２、…のうち、地域指定ボタン４１ｃにより指定された検索地域内の撮像地域データｄ２と比較して、近傍画像データｇを検索する。
【００４５】
従って、変形例１の撮像装置２００によれば、近傍画像データｇの中でも、ユーザによる地域指定ボタン４１ｃの所定操作に基づいて指定された地域内で撮像された画像データｇが検索されることとなって、当該画像データｇに基づいて撮像画像を画像表示部３２に表示することができる。従って、現在位置の近傍であって、ユーザにより指定された地域で撮像された画像を優先的に表示することができ、ユーザ所望の画像の閲覧をより容易に行うことができる。
【００４６】
なお、上記変形例１にあっては、撮像地域データｄ２は、行政区画に従ってツリー構造（例えば、大区分；「埼玉県」、中区分；「さいたま市」や「所沢市」、小区分；「浦和区」や「大宮区」等の行政区）として記録しても良い。
また、地域データは、現在位置（撮像位置）が存する地域として、行政区画以外、例えば、最寄り駅等を基準にして特定するようにしても良い。
さらに、画像検索処理にあっては、地域指定ボタン４１ｃの所定操作に基づいて指定された検索地域だけでなく、近隣の行政区画（例えば、大区分にあっては隣県、中区分にあっては隣接する行政区や市町村等）も含めて近傍画像データｇを検索するようにしても良い。
【００４７】
なお、上記実施形態にあっては、撮像位置データｄ１を画像データｇと独立して記録するようにしたが、これに限られるものではなく、例えば、Ｅｘｉｆ形式の画像ファイルから構成される画像データｇにＥｘｉｆタグ情報として撮像位置データｄ１を付帯するようにしても良い。
【００４８】
また、上記実施形態にあっては、現在位置から所定距離以内で撮像された近傍画像データｇが存する場合には、当該近傍画像データｇの表示に加えて、アラームやバイブレーション等により報知するようにしても良い。
【００４９】
さらに、上記実施形態にあっては、所定の目的地に移動する場合には、現在位置だけでなく目的地から所定距離以内で撮像された近傍画像データｇを検索して表示するようにしても良い。これにより、撮像装置の商品価値をより向上させることができ、より魅力的な撮像装置を提供することができる。
なお、目的地近傍の近傍画像データｇに係る画像は、目的地が表示された地図画面上に表示されるようにしても良い。
【００５０】
また、撮像装置１００、２００の構成は、上記実施形態に例示したものは一例であり、これに限られるものではない。
さらに、画像管理装置として、撮像装置１００、２００を例示して説明したが、これに限られるものではなく、少なくとも画像データｇを撮像位置データｄ１と対応付けて記録する記録媒体５を備え、測位処理、検索処理及び表示制御処理を行う構成であれば、撮像部１を備えるか否かは適宜変更することができる。即ち、画像管理装置としては、例えば、ＧＰＳ機能付きの携帯電話端末やＰＤＡ等の電子機器を適用することができ、検索された画像を待受け画面や起動画面として表示するようにしても良い。
【００５１】
加えて、上記実施形態では、現在位置測位手段、検索手段、撮像位置測位手段、現在地域情報生成手段、地域検索手段としての機能を、ＣＰＵ８１によって所定のプログラム等が実行されることにより実現される構成としたが、これに限られるものではなく、例えば、各種機能を実現するためのロジック回路等から構成しても良い。
【図面の簡単な説明】
【００５２】
【図１】本発明を適用した一実施形態の撮像装置の概略構成を示すブロック図である。
【図２】図１の撮像装置の記録媒体に記録された画像データと撮像位置データのデータ構成の一例を模式的に示す図である。
【図３】図１の撮像装置による記録画像表示処理に係る動作の一例を示すフローチャートである。
【図４】変形例１の撮像装置の概略構成を示すブロック図である。
【図５】図４の撮像装置による地域情報生成処理を模式的に示す図である。
【図６】図４の撮像装置の記録媒体に記録された画像データと撮像地域データのデータ構成の一例を模式的に示す図である。
【符号の説明】
【００５３】
１００、２００  撮像装置（画像管理装置）
１      撮像部（撮像手段）
３      表示部
３２    画像表示部（表示手段）
４１ｃ  地域指定ボタン（検索地域指定手段）
５      記録媒体（記録手段）
８１    ＣＰＵ（現在位置測位手段、検索手段、撮像位置測位手段、現在地域情報生成手段、地域検索手段）
【図１】
2008305251.tif 000003
【図２】
2008305251.tif 000004
【図３】
2008305251.tif 000005
【図４】
2008305251.tif 000006
【図５】
2008305251.tif 000007
【図６】
2008305251.tif 000008